(57)【要約】【課題】保持器の柱部の外径側爪部と、ころとの接触による油膜の損傷を抑制することができるスラストころ軸受を提供する。【解決手段】内・外径の両環状部２１、２２と、これら両環状部２１、２２を連結する複数の柱部２４とを有する保持器２０を備える。柱部２４は、内径側部２６と、径方向中間部２５と、外径側部２７と、内外径の両側部２６、２７と径方向中間部２５とを連結する傾斜連結部２８とを有する。内外径の両側部２６、２７及び径方向中間部２５に、ころ１１の抜け止めをなす内外径の両爪部３１、３２と中間爪部３０とがそれぞれ形成される。ころ１１の長さ方向中心を通るころ１１の配設円を基準点Ｐとし、この基準点Ｐから外径側爪部３２の幅方向中央までの距離をＡとし、基準点Ｐから内径側爪部３１の幅方向中央までの距離をＢとしたときに、「Ａ＜Ｂ」の関係となるように設定されている。【選択図】図４
2011127680.tif 000002
【特許請求の範囲】
【請求項１】
内・外径の両環状部と、これら両環状部を連結すると共に、ころを転動可能に保持する複数のポケットを区画形成する複数の柱部とを有する保持器を備えたスラストころ軸受であって、
前記柱部は、内径側部と、径方向中間部と、外径側部と、これら内外径の両側部と前記径方向中間部とを連結する傾斜連結部とを有し、
前記内外径の両側部及び前記径方向中間部に、前記ポケット内に向けてそれぞれ突出して前記ころの抜け止めをなす内外径の両爪部と中間爪部とがそれぞれ形成され、
前記ころの長さ方向中心を通るころの配設円を基準点とし、この基準点から前記外径側爪部の幅方向中央までの距離をＡとし、前記基準点から前記内径側爪部の幅方向中央までの距離をＢとしたときに、「Ａ＜Ｂ」の関係となるように設定されていることを特徴とするスラストころ軸受の保持器。
【請求項２】
請求項１に記載のスラストころ軸受であって、
ころの長さ方向中央を通るころの配設円を基準点とし、この基準点から柱部の径方向中間部の中間爪部の幅方向中央位置が保持器の中心側へ変位して配置されていることを特徴とするスラストころ軸受。
【請求項３】
請求項１又は２に記載のスラストころ軸受であって、
内外径の両爪部と中間爪部は、ころの外周面に点接触状態で接触可能に前記ころの中心線に近づく方向へ湾曲状に形成されていることを特徴とするスラストころ軸受。
【発明の詳細な説明】
【技術分野】
【０００１】
この発明はスラストころ軸受に関する。
【背景技術】
【０００２】
従来、内・外径側の両環状部と、これら両環状部を連結し、かつころを転動可能に保持するポケットを区画形成する柱部とを有する保持器を備えたスラストころ軸受においては、例えば、特許文献１に開示されている。
この種のスラストころ軸受の保持器においては、ポケットの径方向長さの中央部に相当するころの長さ方向中心を通るころの配設円（ＰＣＤ）を基準点とし、この基準点を含む径方向中央部に径方向中間部が設定され、この基準点から内外径方向に均等の距離を隔てて内外径の両側部が設定されている。
そして、保持器の柱部の内外径の両側部及び径方向中間部に、ころの抜け止めをなす内外径の両爪部と中間爪部とがそれぞれ形成されているのが一般的である。
このようなスラストころ軸受の保持器には、例えば、特許文献１に開示されている。
【先行技術文献】
【特許文献】
【０００３】
【特許文献１】特開２００８−１１５９３１号公報
【発明の概要】
【発明が解決しようとする課題】
【０００４】
ところで、スラストころ軸受の軸受回転時においては、内径側よりも外径側の周速が早くなる。
このため、貧潤滑時（潤滑油の供給が少ない時）には、保持器の柱部の内径側爪部よりも周速が早い外径側爪部と、ころとの接触によって、ころの接触部分の油膜が損傷される恐れがあり、これによってころや軌道が摩耗されることが想定される。
【０００５】
この発明の目的は、前記問題点に鑑み、保持器の柱部の外径側爪部と、ころとの接触による油膜の損傷を抑制することができるスラストころ軸受を提供することである。
【課題を解決するための手段】
【０００６】
前記課題を解決するために、この発明の請求項１に係るスラストころ軸受は、内・外径の両環状部と、これら両環状部を連結すると共に、ころを転動可能に保持する複数のポケットを区画形成する複数の柱部とを有する保持器を備えたスラストころ軸受であって、
前記柱部は、内径側部と、径方向中間部と、外径側部と、これら内外径の両側部と前記径方向中間部とを連結する傾斜連結部とを有し、
前記内外径の両側部及び前記径方向中間部に、前記ポケット内に向けてそれぞれ突出して前記ころの抜け止めをなす内外径の両爪部と中間爪部とがそれぞれ形成され、
前記ころの長さ方向中心を通るころの配設円を基準点とし、この基準点から前記外径側爪部の幅方向中央までの距離をＡとし、前記基準点から前記内径側爪部の幅方向中央までの距離をＢとしたときに、「Ａ＜Ｂ」の関係となるように設定されていることを特徴とする。
【０００７】
前記構成によると、ころの配設円を基準点とし、この基準点から外径側爪部の幅方向中央までの距離をＡとし、基準点から内径側爪部の幅方向中央までの距離をＢとしたときに、「Ａ＜Ｂ」の関係となるように設定されることによって、外径側爪部が内径側へ変位して配置される。
そして、外径側爪部が内径側へ変位した分だけ外径側爪部の周速が遅くなる。このため、外径側爪部と、ころとの接触による油膜の損傷を抑制することができ、これによってころや軌道の摩耗を軽減して耐久性の向上を図ることができる。
【０００８】
請求項２に係るスラストころ軸受は、請求項１に記載のスラストころ軸受であって、
ころの長さ方向中央を通るころの配設円を基準点とし、この基準点から柱部の径方向中間部の中間爪部の幅方向中央位置が保持器の中心側へ変位して配置されていることを特徴とする。
【０００９】
前記構成によると、ころの配設円を基準点とし、この基準点から柱部の径方向中間部の中間爪部の幅方向中央位置が保持器の中心側へ変位して配置されることによって、中間爪部が内径側へ変位して配置される。
これによって、中間爪部の幅方向中央位置から外径側爪部の幅方向中央までの距離と、中間爪部の幅方向中央位置から内径側爪部の幅方向中央までの距離とをほぼ同じにしてころを安定よく抜け止めすることが可能となる。
また、中間爪部が内径側へ変位した分だけ中間爪部の周速が遅くなるため、中間爪部と、ころとの接触による油膜の損傷も抑制することができる。
【００１０】
請求項３に係るスラストころ軸受は、請求項１又は２に記載のスラストころ軸受であって、
内外径の両爪部と中間爪部とは、ころの外周面に点接触状態で接触可能に前記ころの中心線に近づく方向へ湾曲状に形成されていることを特徴とする。
【００１１】
前記構成によると、内外径の両爪部と中間爪部とがころの外周面に対し点接触状態で接触するため、油膜の損傷を最小眼に抑制することができる。
【図面の簡単な説明】
【００１２】
【図１】この発明の実施例１に係るスラストころ軸受を示す側断面図である。
【図２】同じく保持器の一部を破断して示す斜視図である。
【図３】同じく保持器のポケットを示す平面図である。
【図４】同じく図３のＩＶ−ＩＶ線に沿う断面図である。
【図５】同じく図３のＶ−Ｖ線に沿う断面図である。
【図６】この発明の実施例２に係るスラストころ軸受の保持器の一部を破断して示す斜視図である。
【図７】同じく保持器の内外径の両爪部と中間爪部とを示す断面図である。
【発明を実施するための形態】
【００１３】
この発明を実施するための形態について実施例にしたがって説明する。
【実施例１】
【００１４】
この発明の実施例１に係るスラストころ軸受を図１〜図５にしたがって説明する。
図１と図２に示すように、スラストころ軸受（スラスト針状ころ軸受も含む）は、複数のころ１１と保持器２０とを備えている。
保持器２０は、鋼板のプレス加工によって形成され、内径側環状部２１と、外径側環状部２２と、これら内・外径側の両環状部２１、２２の周方向に所定間隔を隔てて掛け渡されてポケット２３を区画形成する複数の柱部２４とを備えて断面略Ｍ字状をなしている。
図３と図４に示すように、保持器２０の柱部２４は、内径側部２６と、径方向中間部２５と、外径側部２７と、これら各部を連結する傾斜連結部２８とを有している。
さらに、各ポケット２３は隣接する柱部２４の間にプレスの打ち抜き加工によって形成され、これら各ポケット２３にはころ１１が転動可能に保持される。
【００１５】
図３〜図５に示すように、ポケット２３内のころ１１を抜け止めするために、隣接する柱部２４の相対する面の径方向中間部２５及び内外径の両側部２６、２７の端面には、ポケット２３内に向けて対向状に突出する中間爪部３０と内外径側の両爪部３１、３２がそれぞれ形成されている。
【００１６】
図４に示すように、ころ（又はポケット２３）１１の長さ方向中心を通るころ１１の配設円ＰＣＤを基準点Ｐとし、この基準点Ｐから外径側爪部３２の幅方向中央Ｑまでの距離をＡとし、基準点Ｐから内径側爪部３１の幅方向中央Ｒまでの距離をＢとしたときに、「Ａ＜Ｂ」の関係となるように設定されている。
また、この実施例１において、ころ１１の長さ方向中央を通るころ１１の配設円ＰＣＤを基準点Ｐとし、この基準点Ｐから柱部２４の中間爪部３０の幅方向中央Ｓが保持器２０の中心側へ距離Ｃだけ変位して配置されている。
さらに、中間爪部３０の幅方向中央Ｓから外径側爪部３２の幅方向中央Ｑまでの距離Ｄと、内径側爪部３１の幅方向中央Ｓから内径側爪部３１の幅方向中央Ｒまでの距離Ｅとがほぼ同じ寸法に設定されている。
【００１７】
この実施例１に係るスラストころ軸受の保持器は上述したように構成される。
したがって、ころ１１の配設円ＰＣＤを基準点Ｐとし、この基準点Ｐから外径側爪部３２の幅方向中央Ｑまでの距離をＡとし、基準点Ｐから内径側爪部３１の幅方向中央Ｒまでの距離をＢとしたときに、「Ａ＜Ｂ」の関係となるように設定されることによって、外径側爪部３２が内径側へ変位して配置される。
そして、外径側爪部３２が内径側へ変位した分だけ外径側爪部３２の周速が遅くなる。このため、外径側爪部３２と、ころ１１との接触による油膜の損傷を抑制することができ、これによってころ１１や軌道（図示しない）の摩耗を軽減して耐久性の向上を図ることができる。
【００１８】
また、この実施例１において、ころ１１の長さ方向中央を通るころ１１の配設円ＰＣＤを基準点Ｐとし、この基準点Ｐから柱部２４の中間爪部３０の幅方向中央Ｓが保持器２０の中心側へ距離Ｃだけ変位して配置される。
さらに、中間爪部３０の幅方向中央Ｓから外径側爪部３２の幅方向中央Ｑまでの距離Ｄと、内径側爪部３１の幅方向中央Ｓから内径側爪部３１の幅方向中央Ｒまでの距離Ｅとがほぼ同じ寸法に設定されている。
このため、中間爪部３０と内径側爪部３１と外径側爪部３２によってころ１１を安定よく抜け止めすることが可能となる。
また、中間爪部３０が内径側へ距離Ｃだけ変位した分だけ中間爪部３０の周速が遅くなるため、中間爪部３０と、ころ１１との接触による油膜の損傷も抑制することができる。
【実施例２】
【００１９】
この発明の実施例２を図６と図７にしたがって説明する。
図６と図７に示すように、この実施例２に係るスラストころ軸受（スラスト針状ころ軸受も含む）においても、実施例１と同様にして、保持器１２０の隣接する柱部１２４の相対する面の径方向中間部１２５及び内外径の両側部１２６、１２７の端面には、ポケット１２３内に向けて対向状に突出する中間爪部１３０と内外径側の両爪部１３１、１３２がそれぞれ形成されている。
また、図７に示すように、ころ（又はポケット１２３）１１１の長さ方向中心を通るころ１１１の配設円ＰＣＤを基準点Ｐとし、この基準点Ｐから外径側爪部１３２の幅方向中央Ｑまでの距離をＡとし、基準点Ｐから内径側爪部１３１の幅方向中央Ｒまでの距離をＢとしたときに、「Ａ＜Ｂ」の関係となるように設定されている。
また、ころ１１１の長さ方向中央を通るころ１１１の配設円ＰＣＤを基準点Ｐとし、この基準点Ｐから柱部１２４の中間爪部１３０の幅方向中央Ｓが保持器１２０の中心側へ距離Ｃだけ変位して配置されている。
さらに、中間爪部１３０の幅方向中央Ｓから外径側爪部１３２の幅方向中央Ｑまでの距離Ｄと、内径側爪部１３１の幅方向中央Ｓから内径側爪部１３１の幅方向中央Ｒまでの距離Ｅとがほぼ同じ寸法に設定されている。
【００２０】
特に、この実施例２において、内外径の両爪部１３１、１３２と中間爪部１３０とは、ころの外周面に点接触状態で接触可能にころ１１１の中心線に近づく方向へ湾曲状に形成されている。
【００２１】
この実施例２に係るスラストころ軸受は上述したように構成される。
したがって、この実施例２によると、実施例１の作用効果に加え、内外径の両爪部１３１、１３２と中間爪部１３０とがころ１１１の外周面に対し点接触状態で接触するため、油膜の損傷を最小眼に抑制することができる。
【００２２】
なお、この発明は前記実施例１に限定するものではなく、この発明の要旨を逸脱しない範囲内において、種々なる形態で実施することもできる。
【符号の説明】
【００２３】
１１  ころ
２０  保持器
２１  内径側環状部
２２  外径側環状部
２３  ポケット
２４  柱部
２５  径方向中間部
２６  内径側部
２７  外径側部
２８  傾斜連結部
３０  中間爪部
３１  内径側爪部
３２  外径側爪部
【図１】
2011127680.tif 000003
【図２】
2011127680.tif 000004
【図３】
2011127680.tif 000005
【図４】
2011127680.tif 000006
【図５】
2011127680.tif 000007
【図６】
2011127680.tif 000008
【図７】
2011127680.tif 000009